(57)【要約】【課題】枠材およびその取付構造において、壁本体に形成された開口部付近の外観性を損なうことなく、部品点数を削減してコストを低減することができる。【解決手段】壁本体１１の開口部３に面する開口部側面３ａに固定され、開口部側面３ａに連続する壁本体１１の室内側面３ｂに貼り付けられる下地壁面材２の側端部２ａによって遮蔽される下地部５１と、当該下地部５１の開口部３側に位置し、壁本体１１の開口部側面３ａを化粧する表面部５２とを一体に備えてなる。下地部５１は、壁本体１１の開口部側面３ａに当接する当接部と、下地壁面材２の側端部２ａに面する側面の当接部側に形成され、下地壁面材２に向けて開口する凹部とを有している。凹部には、当接部側に位置し、壁本体１１に向かって設けられる止着材６を受けるための傾斜面が、下地部５１の側面側から表面部５２側に向かって傾斜して設けられている。【選択図】図３
2014163121.tif 000002
【特許請求の範囲】
【請求項１】
壁本体に形成された開口部の縁部に取り付けられる枠材において、
前記開口部に面する前記壁本体の開口部側面に固定されると共に、前記開口部側面に連続する前記壁本体の両側面のうち、少なくとも一方の側面に貼り付けられる下地壁面材の側端部によって遮蔽される下地部と、
当該下地部の開口部側に位置し、前記壁本体の開口部側面を化粧する表面部と、を一体に備えてなり、
前記下地部は、
前記壁本体の開口部側面に当接して固定される当接部と、
前記下地壁面材の側端部に面する側面の前記当接部側に形成され、前記下地壁面材に向けて開口する凹部と、を有しており、
前記凹部は、
当該凹部のうち前記当接部側に位置し、前記壁本体に向かって設けられる止着材を受ける傾斜面を備えており、
当該傾斜面は、
前記下地部の前記側面側から前記表面部側に向かって傾斜していることを特徴とする枠材。
【請求項２】
請求項１に記載の枠材において、
前記凹部における前記傾斜面は、その傾斜に沿って凸むおよびまたは凹んだ形状からなる前記止着材の受け部を備えていることを特徴とする枠材。
【請求項３】
請求項１または２に記載の枠材において、
前記当接部は、前記凹部の前記傾斜面が受ける前記止着材の延長線上の位置に、前記壁本体の開口部側面に向けて開口する窪み部を備えていることを特徴とする枠材。
【請求項４】
請求項１〜３のいずれか一項に記載の枠材において、
前記下地部は、当該下地部の側面から前記下地壁面材の側端部に向けて突出し、前記下地壁面材の側端部が当接する突出部を備えていることを特徴とする枠材。
【請求項５】
請求項１〜３のいずれか一項に記載の枠材において、
前記下地部は、当該下地部の側面から前記下地壁面材の側端部に向けて突出し、化粧カバーが取り付けられる突出部を備えていることを特徴とする枠材。
【請求項６】
請求項１〜５のいずれか一項に記載の枠材において、
前記表面部および下地部は、木粉と樹脂とを含む押出材を押出成形して一体的に形成されていることを特徴とする枠材。
【請求項７】
請求項１〜５のいずれか一項に記載の枠材において、
前記表面部および下地部は木材であり、一体的に形成されていることを特徴とする枠材。
【請求項８】
請求項１〜７のいずれか一項に記載の枠材を、壁本体に形成された開口部の縁部に取り付けてなる枠材の取付構造であって、
前記枠材は、前記下地部側の前記凹部に形成された前記傾斜面に対し、前記壁本体に向かって設けられる前記止着材によって、前記開口部側面の室内側に取り付けられていることを特徴とする枠材の取付構造。
【請求項９】
請求項１〜７のいずれか一項に記載の枠材を、壁本体に形成された開口部の縁部に取り付けてなる枠材の取付構造であって、
前記開口部は、前記壁本体が立設される床面から所定高さ位置に形成されると共に、前記開口部側面の屋外側に窓サッシが嵌め込まれて取り付けられる窓開口部であり、前記枠材は、この窓開口部の縁部に取り付けられる窓枠材として用いられており、
この窓枠材としての枠材は、該枠材の下地部を、前記開口部側面に連続する壁本体の室内側面に貼り付けられる下地壁面材の側端部と、前記窓サッシとによって遮蔽するようにして、前記開口部側面の室内側に取り付けられていることを特徴とする枠材の取付構造。
【発明の詳細な説明】
【技術分野】
【０００１】
本発明は、壁本体に形成された開口部の縁部に取り付けられる枠材と、この枠材を、壁本体に形成された開口部の縁部に取り付けてなる枠材の取付構造とに関する。
【背景技術】
【０００２】
住宅等の建物の壁に形成された開口部の内周面に化粧枠を取り付ける化粧枠の取付構造の一例として特許文献１に記載の技術が知られている。
この技術において、枠材は、開口部の内周面に位置する開口部側面の縁部（下縁）に釘やビス等で固定されると共に、この開口部側面に連続する壁本体の室内側面に貼り付けられる下地壁面材の側端部によって遮蔽される下地部と、該下地部の開口部側に位置するように下地部に対して係合され、当該壁本体の開口部側面を化粧する表面部と、を備えている。
【０００３】
そして、表面部は、その長さ方向と平行な両側縁部のうち、下地壁面材が貼り付けられる方の側縁部から、当該表面部の長さ方向と直交する方向に沿って、下地壁面材の室内側面よりも前方に突出する突出縁部と、下地部に形成される被係合部に係合する係合部とを有しており、この係合部を下地部の被係合部に係合させることで当該下地部に取り付けられ、開口部の縁部を化粧するようになっている。
【先行技術文献】
【特許文献】
【０００４】
【特許文献１】特開２０１０−１８０６９４号公報
【発明の概要】
【発明が解決しようとする課題】
【０００５】
ところで、かかる特許文献１の枠材は、下地部と表面部とがそれぞれ別体で形成された二部材で構成されており、開口部側面に固定された下地部に表面部を係合固定することによって開口部の縁部を化粧するようになっている。この場合、当該枠材は、開口部側面に対する下地部の固定部分を表面部によって覆い隠すことができると共に、表面部の突出縁部によって下地部自体を確実に遮蔽することができる。これにより、開口部付近に対し軽快でシンプルな印象を与えることができ、外観性を向上させることができる。
【０００６】
しかしながら、その反面、当該枠材が下地部と表面部との二部材から構成されるため、部品点数の面で省部材化が不十分であり、コスト面においても低減できる余地を残していた。このため、更なる省部材化を図り、可能な限りコストを低減したいという要望があった。
【０００７】
ここで、単純に枠材を一部材化した場合、当該枠材を表面部側から長尺な釘またはビス等により開口部（開口部側面）へと固定することが考えられる。しかし、この場合、省部材化は図れるものの、開口部側面または開口部付近に対する枠材の固定部分が開口部に露出し、外観性を損なうことが懸念される。また、当該固定部分を露出することなく固定しようとすると、下地部側の開口部へと露出することのない部位において固定することが考えられるが、取り付けが煩雑になると共に、取り付けのための部品によって部品点数の増加を免れない虞があった。
従って、開口部付近の外観性を損なうことなく、枠材を一部材化することで省部材化を図ることができ、コストを低減することが可能な技術の開発が求められていた。
【０００８】
そこで、本発明は上述した事情に鑑みてなされたもので、枠材およびその取付構造において、開口部付近の外観性を損なうことなく、部品点数を削減してコストを低減可能とすることを目的とする。
【課題を解決するための手段】
【０００９】
請求項１に記載の発明は、例えば図１〜図６に示すように、壁本体１１に形成された開口部３の縁部に取り付けられる枠材５において、
前記開口部３に面する前記壁本体１１の開口部側面３ａに固定されると共に、前記開口部側面３ａに連続する前記壁本体１１の両側面のうち、少なくとも一方の側面（室内側面３ｂ）に貼り付けられる下地壁面材２の側端部２ａによって遮蔽される下地部５１と、
当該下地部５１の開口部３側に位置し、前記壁本体１１の開口部側面３ａを化粧する表面部５２と、を一体に備えてなり、
前記下地部５１は、
前記壁本体１１の開口部側面３ａに当接して固定される当接部５３と、
前記下地壁面材２の側端部２ａに面する側面の前記当接部５３側に形成され、前記下地壁面材２に向けて開口する凹部５４と、を有しており、
前記凹部５４は、
当該凹部５４のうち前記当接部５３側に位置し、前記壁本体１１に向かって設けられる止着材６を受ける傾斜面５５を備えており、
当該傾斜面５５は、
前記下地部５１の前記側面側から前記表面部５２側に向かって傾斜していることを特徴とする。
【００１０】
請求項１に記載の発明によれば、当該枠材５は、下地部５１と表面部５２とを一体に備えてなり、下地部５１は、壁本体１１の開口部側面３ａに当接して固定される当接部５３と、下地壁面材２の側端部２ａに面する側面の当接部５３側に形成され、下地壁面材２に向けて開口する凹部５４と、を有している。また、凹部５４は、当該凹部５４のうち当接部５３側に位置し、壁本体１１に向かって設けられる止着材６を受ける傾斜面５５を備えており、当該傾斜面５５は、下地部５１の側面側から表面部５２側に向かって傾斜している。このように、下地部５１の側面に傾斜面５５を有する凹部５４が設けられているので、当該傾斜面５５に釘やビス等の止着材６を打ち込むことができ、取り付けが簡単であると共に、下地部５１を開口部側面３ａに対して確実に固定することができる。このとき、下地部５１は、下地壁面材２の側端部２ａと、表面部５２とによって確実に遮蔽されながら、当該表面部５２を開口部３の縁部に沿って見せることができるので、開口部３付近の外観性が損なわれるのを確実に回避することができる。
また、従来とは異なり、下地部５１と表面部５２とを別体ではなく一体化して形成することで、枠材５自体の部品点数を削減することができると共に、例えば額縁材や結合金具等の部材を用いずに、開口部３を化粧することができるので、省部材化を図り、コストを確実に低減させることが可能となる。
かくして、本発明の枠材５では、開口部３付近の外観性を損なうことなく、部品点数を削減してコストを低減することができる。
【００１１】
請求項２に記載の発明は、例えば図４，図６に示すように、請求項１に記載の枠材５において、
前記凹部５４における前記傾斜面５５は、その傾斜に沿って凸むおよびまたは凹んだ形状からなる前記止着材６の受け部５５ａを備えていることを特徴とする。
【００１２】
請求項２に記載の発明によれば、前記凹部５４における傾斜面５５が、その傾斜に沿って凸むおよびまたは凹んだ形状（換言すれば、少なくとも凹凸のいずれかの形状）からなる前記止着材６の受け部５５ａを備えているので、当該傾斜面５５に釘やビス等の止着材６を打ち込む際に、当該止着材６を受け部５５ａに入り込ませて前記傾斜方向にずれるのを未然に防止することができる。よって、開口部側面３ａに対する下地部５１の固定作業を容易化して、枠材５を開口部３の縁部により一段と簡単に取り付けることができ、このような取付作業における作業性を格段と向上することができる。
【００１３】
請求項３に記載の発明は、例えば図４，図６に示すように、請求項１または２に記載の枠材５において、
前記当接部５３は、前記凹部５４の前記傾斜面５５が受ける前記止着材６の延長線上の位置に、前記壁本体１１の開口部側面３ａに向けて開口する窪み部５３ａを備えていることを特徴とする。
【００１４】
請求項３に記載の発明によれば、当接部５３は、前記凹部５４の前記傾斜面５５が受ける前記止着材６の延長線上の位置（すなわち、当接部５３において、前記傾斜面５５に打ち込まれる止着材６が貫通する部位）に、前記壁本体１１の開口部側面３ａに向けて開口する窪み部５３ａを備えているので、当該傾斜面５５に釘やビス等の止着材６を打ち込んだ際に生じる削り屑等を、この窪み部５３ａに取り込むことができ、当該削り屑等が前記開口部側面３ａと当接部５３との間に入り込むことによって下地部５１（枠材５）が盛り上がるような不具合の発生を未然に回避できる。
また、当接部５３と開口部側面３ａとの間に接着剤などの接着部材を介在して下地部５１を開口部側面３ａに固定する場合、当該接着部材のうちの余分な接着部材を窪み部５３ａに取り込むことで、開口部側面３ａに対する下地部５１の接着性を向上させることができる。
【００１５】
請求項４に記載の発明は、例えば図３〜図６に示すように、請求項１〜３のいずれか一項に記載の枠材５において、
前記下地部５１は、当該下地部５１の側面から前記下地壁面材２の側端部２ａに向けて突出し、前記下地壁面材２の側端部２ａが当接する突出部５６を備えていることを特徴とする。
【００１６】
請求項４に記載の発明によれば、下地部５１は、その側面から下地壁面材２の側端部２ａに向けて突出し、当該下地壁面材２の側端部２ａが当接する突出部５６を備えているので、この下地壁面材２によって下地部５１を覆うように遮蔽する際、その側端部２ａを裏側から支えることができ、当該下地壁面材２にたわみ等の不具合が生じるのを未然に回避することができる。これと共に、当該突出部５６の先端部（具体的には、先端面５６ａ）と前記壁本体１１の室内側面３ｂとを面一の状態に配置しておくことにより、当該室内側面３ｂに対して貼り付けられる下地壁面材２の位置決めを容易に行うことができる。よって、壁本体１１の室内側面３ｂに対して下地壁面材２を隙間なく貼り付けることができ、開口部３付近の仕上がりを秀麗なものとすることができる。
【００１７】
請求項５に記載の発明は、例えば図５，図６に示すように、請求項１〜３のいずれか一項に記載の枠材５において、
前記下地部５１は、当該下地部５１の側面から前記下地壁面材２の側端部２ａに向けて突出し、化粧カバー８が取り付けられる突出部５７を備えていることを特徴とする。
【００１８】
請求項５に記載の発明によれば、下地部５１は、その側面から下地壁面材２の側端部２ａに向けて突出し、前記壁本体１１の側面（室内側面３ｂ）を化粧する他の化粧部材である化粧カバー８が取り付けられる突出部５７を備えているので、当該化粧カバー８を壁本体１１の室内側面３ｂに簡単に取り付けることができ、この化粧カバー８によって下地部５１を覆うように遮蔽しながら開口部側面３ａを化粧できる。よって、開口部３の縁部の見映えをより一段と高級に化粧でき、開口部３付近の仕上がりを秀麗なものとすることができる。
このとき、化粧カバー８側に前記突出部５７に対応する係合部８３ａを設けておくことが好ましい。これにより、突出部５７を被係合部として、化粧カバー８の係合部８３ａと係合させるだけで、当該化粧カバー８をワンタッチで取り付けることができ、取付作業を格段と簡単にすることができる。しかも、この突出部５７の外周面または化粧カバー８の係合部８３ａの前記突出部５７が係合される内周面を、その突出方向または係合方向に沿って凹凸する凹凸面で形成しておけば、これら突出部５７と係合部８３ａとの係合性を一段と高めることができ、当該係合部８３ａから突出部５７を抜け難くすることができる利点を備えることもできる。
【００１９】
請求項６に記載の発明は、請求項１〜５のいずれか一項に記載の枠材５において、
前記表面部５２および下地部５１は、木粉と樹脂とを含む押出材を押出成形して一体的に形成されていることを特徴としている。
【００２０】
請求項６に記載の発明によれば、表面部５２および下地部５１は、木粉と樹脂とを含む押出材を押出成形してなる押出成形品であり、これら表面部５２と下地部５１とが一体的に形成されていることから、全体に木粉が含まれた木質感のある部材として用いることができる。また、天然木を用いる場合に比して、押出方向において所望の長さに製造できるとともに、断面を様々な形状に成形できる。
また、表面部５２と下地部５１とが一体的に形成されているので、枠材５自体の部品点数を削減できると共に、これら表面部５２および下地部５１を一度に製造できる上、開口部側面３ａに対して一度に固定することができる分、使い勝手を向上させることができる。
【００２１】
請求項７に記載の発明は、請求項１〜５のいずれか一項に記載の枠材５において、
前記表面部５２および下地部５１は木材であり、一体的に形成されていることを特徴としている。
【００２２】
請求項７に記載の発明によれば、表面部５２および下地部５１は木材であり、一体的に形成されているので、例えば枠材５を開口部側面３ａに固定する際に、釘やビス等の止着材６を打ち込み易い。
また、表面部５２と下地部５１とが一体的に形成されているので、枠材５自体の部品点数を削減できると共に、これら表面部５２および下地部５１を一度に製造できる上、開口部側面３ａに対して一度に固定することができる分、使い勝手を向上させることができる。
【００２３】
請求項８に記載の発明は、請求項１〜７のいずれか一項に記載の枠材５を、壁本体１１に形成された開口部３の縁部に取り付けてなる枠材５の取付構造であって、
前記枠材５は、前記下地部５１側の前記凹部５４に形成された前記傾斜面５５に対し、前記壁本体１１に向かって設けられる前記止着材６によって、前記開口部側面３ａの室内側に取り付けられていることを特徴としている。
【００２４】
請求項８に記載の発明によれば、枠材５は、下地部５１側の凹部５４に形成された傾斜面５５に対し、壁本体１１に向かって設けられる釘やビス等の止着材６によって、開口部側面３ａの室内側に取り付けられているので、開口部３の縁部に対して簡単に、且つ、確実に取り付けることができる。このとき、止着材６が設けられる凹部５４の傾斜面５５は、下地壁面材２の側端部２ａと表面部５２とによって確実に遮蔽されるので、開口部側面３ａにおいて下地部５１が、釘やビス等の止着材６によって固定されている様子を確実に隠すことができ、開口部３の外観性を損なうことはない。
また、従来とは異なり、下地部５１と表面部５２とを別体ではなく一体化して形成することで、枠材５自体の部品点数を削減することができると共に、例えば額縁材や結合金具等の部材を用いずに、開口部３を化粧することができるので、省部材化を図り、コストを確実に低減させることが可能となる。
かくして、本発明における枠材５の取付構造では、開口部３付近の外観性を損なうことなく、部品点数を削減してコストを低減することができる。
【００２５】
請求項９に記載の発明は、請求項１〜７のいずれか一項に記載の枠材５を、壁本体１１に形成された開口部３の縁部に取り付けてなる枠材５の取付構造であって、
前記開口部３は、前記壁本体１１が立設される床面から所定高さ位置に形成されると共に、前記開口部側面３ａの屋外側に窓サッシ４が嵌め込まれて取り付けられる窓開口部であり、前記枠材５は、この窓開口部の縁部に取り付けられる窓枠材として用いられており、
この窓枠材としての枠材５は、該枠材５の下地部５１を、前記開口部側面３ａに連続する壁本体１１の室内側面３ｂに貼り付けられる下地壁面材２の側端部２ａと、前記窓サッシ４とによって遮蔽するようにして、前記開口部側面３ａの室内側に取り付けられていることを特徴としている。
【００２６】
請求項９に記載の発明によれば、前記窓枠材としての枠材５は、該枠材５の下地部５１を、前記開口部側面３ａに連続する壁本体１１の室内側面に貼り付けられる下地壁面材２の側端部２ａと、前記窓サッシ４とによって遮蔽するようにして、前記開口部側面３ａに取り付けられているので、これら下地壁面材２の側端部２ａと窓サッシ４とによって前記下地部５１をより確実に遮蔽することができる。よって、前記開口部側面３ａにおいて下地部５１が、釘やビス等の止着材６によって固定されている様子を確実に隠すことができるので、前記窓開口部の外観性を確実に向上できる。
また、従来とは異なり、下地部５１と表面部５２とを別体ではなく一体化して形成することで、枠材５自体の部品点数を削減することができると共に、例えば額縁材や結合金具等の部材を用いずに、開口部３を化粧することができるので、省部材化を図り、コストを確実に低減させることが可能となる。
かくして、本発明における枠材５の取付構造では、開口部３付近の外観性を損なうことなく、部品点数を削減してコストを低減することができる。
【発明の効果】
【００２７】
本発明によれば、枠材およびその取付構造において、開口部付近の外観性を損なうことなく、部品点数を削減してコストを低減することができる。
【図面の簡単な説明】
【００２８】
【図１】本発明に係る枠材の取付構造の第１実施形態を示すもので、開口部が形成された壁の正面図である。
【図２】図１の開口部における下部を拡大して示す斜視図である。
【図３】図１に示す枠材の取付構造の要部を部分的に示す側断面図である。
【図４】図３に示す枠材を拡大して示す断面図である。
【図５】本発明に係る枠材の取付構造の第２実施形態を示すもので、要部を部分的に示す側断面図である。
【図６】図５に示す枠材の要部を拡大して示す断面図である。
【発明を実施するための形態】
【００２９】
（第１実施形態）
以下、本発明の第１実施形態について図１〜図４を参照しながら詳細に説明する。
図１は、本発明に係る枠材の取付構造として、窓サッシをはめ込む開口部に適用した第１実施形態を示すもので、開口部が形成された壁の正面図であり、図２は、図１の開口部における下部を拡大して示す斜視図である。図３は、図１に示す枠材の取付構造の要部（開口部に配設された窓サッシおよび枠材）を部分的に示す側断面図であり、図４は、図３に示す枠材を拡大して示す断面図である。
【００３０】
図１〜図３に示すように、壁１は住宅等の建物の内部（室内）と外部（屋外）との間である境界、換言すれば、建物の外周側に配設された外壁である。この壁１は、壁本体１１と、この壁本体１１の室内側表面に取り付けられた下地壁面材２と、壁本体１１の外側の表面に取り付けられた外装材（図示略）とを備えている。壁本体１１は、壁パネルを縦およびまたは横方向に接合することによって形成されたものである。壁パネルは、框材１１ａを枠状に組み立ててなる枠体の両面にそれぞれ合板等の面材１１ｂ，１１ｂを取り付けたものである。また、面材１１ｂ，１１ｂは石膏ボードによって形成されている。
【００３１】
この壁本体１１は、複数の壁パネルを口字状に組み立てることによって、壁１に対して横長の長方形状に形成された開口部３を形成できるようになっている。この開口部３は、壁本体１１が立設される床面から所定高さ位置に形成されると共に、内周側に位置する開口部側面３ａの屋外側に、窓サッシ４が嵌め込まれて取り付けられる窓開口部である。本実施形態の場合、枠材５は、この窓開口部の室内側下部に位置する縁部（すなわち、開口部側面３ａの室内側下縁）に化粧枠として取り付けられる窓枠材として用いられている。
【００３２】
そして、この窓枠材としての枠材５は、後述する下地部５１を、開口部側面３ａに連続する壁本体１１の室内側面３ｂに貼り付けられる下地壁面材２の側端部２ａと、窓サッシ４とによって遮蔽するようにして、開口部側面３ａの室内側に取り付けられている。
【００３３】
また、下地壁面材２の室内側面には、クロス２ｂが貼り付けられていると共に、開口部３の上縁および両側縁に位置する壁本体１１の開口部側面３ａには、それぞれ壁本体１１の室内側面３ｂに貼り付けられた下地壁面材２と連続する見込み合板７が設けられている。さらに、これら見込み合板７の表面には、下地壁面材２に貼り付けられたクロス２ｂが連続して貼り付けられており、これら見込み合板７と窓サッシ４との間に設けられる見切り材７ａによって、クロス２ｂの端部が見切られている。
【００３４】
本実施形態の場合、枠材５は、壁本体１１に形成された開口部３の縁部に取り付けられるものであり、開口部３に面すると共に、この開口部３の室内側下縁に位置する壁本体１１の開口部側面３ａに、釘やビス等の止着材６によって固定されると共に、この開口部側面３ａに連続する壁本体１１の室内側面３ｂに貼り付けられる下地壁面材２の側端部２ａによって遮蔽される下地部５１と、この下地部５１の開口部３側に位置し、壁本体１１の開口部側面３ａを化粧する表面部５２と、を一体に備えている。
【００３５】
具体的に、枠材５は、図４に示すように構成されている。すなわち、下地部５１は、壁本体１１の開口部側面３ａに当接して固定される当接部５３と、下地壁面材２の側端部２ａに面する側面の当接部５３側に形成され、下地壁面材２に向けて開口する凹部５４と、を有している。この凹部５４は、例えば下地壁面材２の側端部２ａと対向する底面と、この底面の垂直方向（壁本体１１が立設する鉛直方向）における両端部から、それぞれ下地壁面材２に向けて配設される両側面とを有する略コの字状をなしている。そして、凹部５４は、当該凹部５４のうち当接部５３側に位置し、壁本体１１に向かって設けられる止着材６を受ける傾斜面５５を備えており、当該傾斜面５５は、下地部５１の側面側から表面部５２側に向かって傾斜している。換言すれば、傾斜面５５は略コの字状の凹部５４における両側面のうち、当接部５３側の側面が、底面側から下地壁面材２に向けて当接部５３側に傾斜するように形成されている。
このとき、凹部５４の形状は、図４に示されるような略コの字状に限られず、円形や楕円形、三角状、矩形状またはそれらを組み合わせた形状等の様々な形状を広く適用することができる。また、凹部５４は、枠材５の長手方向に沿って延在して配置されていても良いし、当該長手方向に沿って、必要な範囲で点在するように配置されていても良い。
【００３６】
これにより、傾斜面５５に釘やビス等の止着材６を打ち込むことができ、取り付けが簡単であると共に、下地部５１を開口部側面３ａに対して確実に固定することができるようになっている。このとき、下地部５１は、下地壁面材２の側端部２ａと、表面部５２とによって確実に遮蔽されながら、当該表面部５２を開口部３の縁部に沿って見せることができるようになっている。
【００３７】
また、従来とは異なり、下地部５１と表面部５２とを別体ではなく一体化して形成することで、枠材５自体の部品点数を削減することができるようになっていると共に、例えば額縁材や結合金具等の部材を用いずに、開口部３を化粧することができるようになっているので、省部材化を図ることも可能となっている。なお、例えば当接部５３の凹部５４とは反対側の端部を窓サッシ４側に向けて突出する底面突出部として突設しておき、この底面突出部を開口部側面３ａに予め設置する取付金具等の係合部材（不図示）と係合させることで、開口部側面３ａに対する仮止めや、自重の影響による落下防止等を図ることも可能となっており、このような係合部材に対して係合される底面突出部の併用により、枠材５を確実に固定することも可能となっている。因みに、この場合、開口部側面３ａに対して取り付けられる係合部材を固定するためのビス（不図示）の頭部が、開口部側面３ａから突出していたとしても、当接部５３には窪み部５３ａが形成されているため、当該ビスの頭部との当接を回避する（逃げる）ことが可能となっている。
【００３８】
また、枠材５の凹部５４における傾斜面５５は、その傾斜に沿って凸むおよびまたは凹んだ形状からなる止着材６の受け部５５ａを備えていることが好ましい。換言すれば、傾斜面５５には、少なくとも凹凸のいずれかの形状からなる受け部５５ａが設けられていることが好ましい。これにより、当該傾斜面５５に釘やビス等の止着材６を打ち込む際に、当該止着材６を受け部５５ａに入り込ませて、傾斜方向にずれるのを未然に防止できるようになる。よって、開口部側面３ａに対する下地部５１の固定作業を容易化して、枠材５を開口部３の縁部により一段と簡単に取り付けることができるようになる。
なお、傾斜面５５に設けられる受け部５５ａの形状としては、これに限られず、要は止着材６を入り込ませて、傾斜方向にずれるのを未然に防止できるものであれば、例えば傾斜面５５の傾斜方向に沿った鋸刃状や、ローレット形状、凹んだ部位が点在する等の様々な形状を広く適用することができる。
【００３９】
さらに、枠材５の当接部５３は、凹部５４の傾斜面５５が受ける止着材６の延長線上の位置（すなわち、当接部５３において、傾斜面５５に打ち込まれる止着材６が貫通する部位）に、壁本体１１の開口部側面３ａに向けて開口する窪み部５３ａを備えていることが好ましい。これにより、傾斜面５５に釘やビス等の止着材６を打ち込んだ際に生じる削り屑等を、この窪み部５３ａにて取り込むことができるようになる。従って、当該削り屑等が開口部側面３ａと当接部５３との間に入り込むことによって、下地部５１（つまり、枠材５）が盛り上がるような不具合の発生を未然に回避できるようになる。
【００４０】
また、当接部５３と開口部側面３ａとの間に接着剤などの接着部材（図示略）を介在して下地部５１を開口部側面３ａに固定（仮固定など）する場合、当該接着部材のうちの余分な接着部材を窪み部５３ａに取り込むことで、開口部側面３ａに対する下地部５１の接着性を向上させることも可能となる利点を備えることができるようになっている。このとき、窪み部５３ａが埋まる程度を目安として接着剤を塗布することで、当該接着剤の塗布量を容易に適量とすることも可能となっている。また、窪み部５３ａの角部分に接着剤容器の接着剤を吐出させるカットされた先端部を当接させるようにすると、当該接着剤の塗布作業が容易になる利点も備えている。
【００４１】
また、枠材５の下地部５１は、当該下地部５１の側面から下地壁面材２の側端部２ａに向けて突出し、下地壁面材２の側端部２ａが当接する突出部５６を備えている。
これにより、下地壁面材２によって下地部５１を覆うように遮蔽する際、その側端部２ａを裏側から支えることができ、当該下地壁面材２にたわみ等の不具合が生じるのを未然に回避することができるようになっている。これと共に、当該突出部５６の先端部（すなわち、下地壁面材２の側端部２ａと対峙する先端面５６ａ）と、壁本体１１の室内側面３ｂとを面一の状態に配置しておくことが好ましい。これにより、当該室内側面３ｂに対して貼り付けられる下地壁面材２の位置決めを容易に行うことができるようになる。よって、壁本体１１の室内側面３ｂに対して下地壁面材２を隙間なく貼り付けることができるようになる。
【００４２】
また、表面部５２は、この表面部５２の長さ方向と平行な両側縁部のうち、下地壁面材２が貼り付けられる方の側縁部から、該表面部５２の長さ方向と直交する方向に沿って、下地壁面材２の室内側面よりも前方に突出する突出縁部５２ａを有している。
【００４３】
また、下地部５１および表面部５２は、木粉と樹脂とを含む押出材を押出成形してなる押出成形品であり、これら下地部５１と表面部５２とが一体的に形成されていることが好ましい。これにより、枠材５を全体に木粉が含まれた木質感のある部材として用いることができるようになる。また、天然木を用いる場合に比して、押出方向において所望の長さに製造できると共に、断面を様々な形状に成形できるようになる。
また、表面部５２と下地部５１とが一体的に形成されているので、枠材５自体の部品点数を削減できるようになっていると共に、これら表面部５２および下地部５１を一度に製造できるようになり、開口部側面３ａに対して一度に固定することができるようになる。よって、使い勝手が良い利点を備えることができるようになっている。
【００４４】
なお、これら表面部５２および下地部５１の押出形状は、本発明の趣旨を逸脱しない範囲で適宜変更可能であると共に、木材を加工してなるものでも良い。
また、前記表面部５２の化粧面は平板に形成されており、例えば、絵画やオブジェ、観葉植物等を置ける窓台として利用することができるので、窓開口部の外観性を向上できて好ましい。
【００４５】
以上、説明したように、本実施形態の枠材５およびその取付構造によれば、枠材５は、下地部５１と表面部５２とを一体に備えてなり、下地部５１は、壁本体１１の開口部側面３ａに当接して固定される当接部５３と、下地壁面材２の側端部２ａに面する側面の当接部５３側に形成され、下地壁面材２に向けて開口する凹部５４と、を有している。また、凹部５４は、当該凹部５４のうち当接部５３側に位置し、壁本体１１に向かって設けられる止着材６を受ける傾斜面５５を備えており、当該傾斜面５５は、下地部５１の側面側から表面部５２側に向かって傾斜している。このように、下地部５１の側面に傾斜面５５を有する凹部５４が設けられているので、当該傾斜面５５に釘やビス等の止着材６を打ち込むことができる。よって、取り付けが簡単であると共に、下地部５１を開口部側面３ａに対して確実に固定することができる。このとき、下地部５１は、下地壁面材２の側端部２ａと、表面部５２とによって確実に遮蔽されながら、当該表面部５２を開口部３の縁部に沿って見せることができるので、開口部３付近の外観性が損なわれるのを確実に回避することができる。
【００４６】
また、従来とは異なり、下地部５１と表面部５２とを別体ではなく一体化して形成することで、枠材５自体の部品点数を削減することができると共に、例えば額縁材や結合金具等の部材を用いずに、開口部３を化粧することができるので、省部材化を図り、コストを確実に低減させることが可能となる。
【００４７】
かくして、本実施形態の枠材５では、壁本体１１に形成された開口部３付近の外観性を損なうことなく、部品点数を削減してコストを低減することができる。
【００４８】
しかも、凹部５４における傾斜面５５は、その傾斜に沿って凸むおよびまたは凹んだ形状（換言すれば、少なくとも凹凸のいずれかの形状）からなる止着材６の受け部５５ａを備えていることが好ましい。これによれば、凹部５４における傾斜面５５が、その傾斜に沿って凹凸のいずれかの形状からなる受け部５５ａを備えているので、当該傾斜面５５に釘やビス等の止着材６を打ち込む際に、当該止着材６を凹凸する受け部５５ａに入り込ませて傾斜方向にずれるのを未然に防止することができる。
よって、開口部側面３ａに対する下地部５１の固定作業を容易化して、枠材５を開口部３の縁部により一段と簡単に取り付けることができ、このような取付作業における作業性を格段と向上することができる。
【００４９】
また、当接部５３は、凹部５４の傾斜面５５が受ける止着材６の延長線上の位置（すなわち、当接部５３において、傾斜面５５に打ち込まれる止着材６が貫通する部位）に、壁本体１１の開口部側面３ａに向けて開口する窪み部５３ａを備えていることが好ましい。これにより、当該傾斜面５５に釘やビス等の止着材６を打ち込んだ際に生じる削り屑等を、この窪み部５３ａに取り込むことができ、当該削り屑等が前記開口部側面３ａと当接部５３との間に入り込むことによって下地部５１（枠材５）が盛り上がるような不具合の発生を未然に回避できる。
また、当接部５３と開口部側面３ａとの間に接着剤などの接着部材を介在して下地部５１を開口部側面３ａに固定（仮固定など）する場合、当該接着部材のうちの余分な接着部材を窪み部５３ａに取り込むことで、開口部側面３ａに対する下地部５１の接着性を向上させることができる。
【００５０】
さらに、下地部５１は、当該下地部５１の側面から下地壁面材２の側端部２ａに向けて突出し、下地壁面材２の側端部２ａが当接する突出部５６を備えていることが好ましい。これにより、下地部５１は、その側面から下地壁面材２の側端部２ａに向けて突出し、当該下地壁面材２の側端部２ａが当接する突出部５６を備えているので、この下地壁面材２によって下地部５１を覆うように遮蔽する際、その側端部２ａを裏側から支えることができ、当該下地壁面材２にたわみ等の不具合が生じるのを未然に回避することができる。これと共に、当該突出部５６の先端部（すなわち、下地壁面材２の側端部２ａと対峙する先端面５６ａ）と前記壁本体１１の室内側面３ｂとを面一の状態に配置しておくことにより、当該室内側面３ｂに対して貼り付けられる下地壁面材２の位置決めを容易に行うことができる。よって、壁本体１１の室内側面３ｂに対して下地壁面材２を隙間なく貼り付けることができ、開口部３付近の仕上がりを秀麗なものとすることができる。
【００５１】
また、表面部５２および下地部５１は、木粉と樹脂とを含む押出材を押出成形して一体的に形成されていることが好ましい。これによれば、表面部５２および下地部５１は、木粉と樹脂とを含む押出材を押出成形してなる押出成形品であり、これら表面部５２と下地部５１とが一体的に形成されていることから、全体に木粉が含まれた木質感のある部材として用いることができる。また、天然木を用いる場合に比して、押出方向において所望の長さに製造できるとともに、断面を様々な形状に成形できる。
しかも、表面部５２と下地部５１とが一体的に形成されているので、枠材５自体の部品点数を削減できると共に、これら表面部５２および下地部５１を一度に製造できる上、開口部側面に対して一度に固定することができる分、使い勝手を向上させることができる。
【００５２】
さらに、表面部５２および下地部５１が木材であり、一体的に形成されるようにしても良い。この場合、表面部５２および下地部５１が木材であり、一体的に形成されているので、例えば枠材５を開口部側面３ａに固定する際に、釘やビス等の止着材６を打ち込み易い。
しかも、表面部５２と下地部５１とが一体的に形成されているので、枠材５自体の部品点数を削減できると共に、これら表面部５２および下地部５１を一度に製造できる上、開口部側面３ａに対して一度に固定することができる分、使い勝手を向上させることができる。
【００５３】
また、枠材５の取付構造としては、下地部５１側の凹部５４に形成された傾斜面５５に対し、壁本体１１に向かって設けられる止着材６によって、開口部側面３ａの室内側に取り付けられていることが望ましい。これにより、枠材５は、下地部５１側の凹部５４に形成された傾斜面５５に対し、壁本体１１に向かって設けられる釘やビス等の止着材６によって、開口部側面３ａの室内側に取り付けられているので、開口部３の縁部に対して簡単に、且つ、確実に取り付けることができる。このとき、止着材６が設けられる凹部５４の傾斜面５５は、下地壁面材２の側端部２ａと表面部５２とによって確実に遮蔽されるので、開口部側面３ａにおいて下地部５１が、釘やビス等の止着材６によって固定されている様子を確実に隠すことができ、開口部３の外観性を損なうことはない。
また、従来とは異なり、下地部５１と表面部５２とを別体ではなく一体化して形成することで、壁本体１１の開口部３に取り付けられる枠材５自体の部品点数を削減することができると共に、例えば額縁材や結合金具等の部材を用いずに、開口部３を化粧することができるので、省部材化を図り、コストを確実に低減させることが可能となる。
かくして、本実施形態における枠材５の取付構造では、壁本体１１に形成された開口部３付近の外観性を損なうことなく、部品点数を削減してコストを低減することができる。
【００５４】
さらに、本実施形態の枠材５を、壁本体１１に形成された開口部３の縁部に取り付けてなる枠材５の取付構造として、開口部３は、前記壁本体１１が立設される床面から所定高さ位置に形成されると共に、前記開口部側面３ａの屋外側に窓サッシ４が嵌め込まれて取り付けられる窓開口部であり、前記枠材５は、この窓開口部の縁部に取り付けられる窓枠材として用いられており、この窓枠材としての枠材５は、該枠材５の下地部５１を、前記開口部側面３ａに連続する壁本体１１の室内側面３ｂに貼り付けられる下地壁面材２の側端部２ａと、前記窓サッシ４とによって遮蔽するようにして、前記開口部側面３ａの室内側に取り付けられていることが望ましい。
【００５５】
これによれば、窓枠材としての枠材５は、該枠材５の下地部５１を、開口部側面３ａに連続する壁本体１１の室内側面３ｂに貼り付けられる下地壁面材２の側端部２ａと、窓サッシ４とによって遮蔽するようにして、開口部側面３ａに取り付けられているので、これら下地壁面材２の側端部２ａと窓サッシ４とによって下地部５１をより確実に遮蔽することができる。よって、開口部側面３ａにおいて下地部５１が、釘やビス等の止着材６によって固定されている様子を確実に隠すことができるので、窓開口部の外観性を確実に向上できる。
また、従来とは異なり、下地部５１と表面部５２とを別体ではなく一体化して形成することで、枠材５自体の部品点数を削減することができると共に、例えば額縁材や結合金具等の部材を用いずに、開口部３を化粧することができるので、省部材化を図り、コストを確実に低減させることが可能となる。
かくして、本実施形態における枠材５の取付構造では、壁本体１１に形成された開口部３付近の外観性を損なうことなく、部品点数を削減してコストを低減することができる。
【００５６】
（第２実施形態）
以下、本発明の第２実施形態について図５および図６を参照しながら詳細に説明する。
図３との対応部分に同一符号を付した図５は、本発明に係る枠材５の取付構造の第２実施形態を示すもので、要部（開口部３に配設された窓サッシ４および枠材５）を部分的に示す側断面図である。図６は、図５に示す枠材５の要部（突出部５７）を拡大して示す断面図であり、当該突出部５７の形状が、上述した第１実施形態の突出部５６の形状と異なる点を除き、図４に示す枠材５とほぼ同様に構成されている。
従って、以下では上述した第１実施形態との相違点について詳細に説明し、重複する部分については、便宜上、説明を割愛するものとする。
【００５７】
図５および図６に示すように、本実施形態の場合、枠材５の下地部５１は、当該下地部５１の側面から下地壁面材２の側端部２ａに向けて突出し、壁本体１１の側面を化粧する他の化粧部材である化粧カバー８が取り付けられる突出部５７を備えている。このとき、壁本体１１の開口部３における下方側に位置する開口部側面３ａには、框材１１ａの開口部３側に調整材１２が配設されている。この調整材１２は、開口部３の下方側縁部に設けられる化粧カバー８を取り付けるに際し、その取付位置を調整するための部材であって、木材などからなり、框材１１ａに対して接着剤等によって固定されて取り付けられている。従って、本実施形態の場合、枠材５の下地部５１の凹部５４における傾斜面５５に打ち込まれる止着材は、開口部側面３ａとして框材１１ａ上に配設された調整材１２に対して打ち込まれることになる。換言すれば、本実施形態の場合、開口部３における下方側の開口部側面３ａは、框材１１ａ上の調整材１２における上面部１２ａによって構成されている。また、この調整材１２の室内側の側面１２ｂは、壁本体１１の室内側面３ｂとほぼ面一となるように設定されている。
【００５８】
具体的に、突出部５７は、壁本体１１の室内側面３ｂおよび調整材１２の室内側の側面１２ｂと略面一に配設される下地部５１の側面よりも、室内側に向かって突出した状態で形成され、化粧カバー８と係合されるようになっている。そして、この枠材５は、前記窓開口部としての開口部３の縁部に取り付けられる窓枠材として用いられ、下地部５１が、開口部側面３ａに連続する壁本体１１の室内側面３ｂに貼り付けられる化粧カバー８と、前記窓サッシ４とによって遮蔽するようにして、前記開口部側面３ａの室内側に取り付けられている。
【００５９】
このように、本実施形態の枠材５は、突出部５７によって化粧カバー８を壁本体１１の側面に簡単に取り付けることができ、この化粧カバー８によって下地部５１を覆うように遮蔽しながら開口部側面３ａを化粧できるようになっている。よって、壁本体１１に形成された開口部３の縁部の見映えをより一段と高級に化粧できるようになっている。
【００６０】
また、突出部５７は、当接部５３側（開口部側面３ａ側）が化粧カバー８側から当接部５３に向かって入り込む方向に傾斜した傾斜部５７ａを有する面形状で形成されることが好ましい。これにより、表面部５２の突出縁部５２ａと、傾斜面５５の受け部５５ａとを結ぶ直線上に障害となる部位が形成されることはない。このため、枠材５を開口部側面３ａに固定する際に、当該受け部５５ａに対してビスをねじ込む際、ドライバーの軸（不図示）が傾斜部５７ａに支持され、ビス等の止着材６をより安定して打ち込み易い。
【００６１】
なお、突出部５７は施工現場において、例えば、切削加工等の簡単な加工を施すことで、上述した第１実施形態における枠材５の突出部５６として成形する（換言すれば、作り替える）ことが可能であっても良い。これにより、部品を共通化することができ、製品コストを抑えることが可能なメリットを備えることもできる。
【００６２】
ここで、化粧カバー８は、調整材１２の室内側の側面１２ｂおよび壁本体１１の室内側面３ｂに亙って貼り付けられるベース部８１と、当該ベース部８１の調整材１２の側面１２ｂ側および前記室内側面３ｂ側とは反対の室内側に配設される化粧面８２と、前記枠材５の突出部５７および前記ベース部８１の上方側端部の間に、これらと係合するように配設される第１係合部材８３と、前記ベース部８１の下方側端部に係合するように配設される第２係合部材８４と、を備えていることが好ましい。
【００６３】
このとき、ベース部８１は平板状からなり、上方側端部と下方側端部とに、それぞれ壁本体１１の立設する方向と平行な鉛直方向に向けて突出した係合部８１ａ，８１ｂが設けられており、これら係合部８１ａ，８１ｂが、対応する第１係合部材８３および第２係合部材８４と係合するようになっていることが望ましい。
【００６４】
第１係合部材８３は、枠材５における下地部５１の側面に突設された突出部５７と係合する係合部８３ａと、ベース部８１の係合部８１ａと係合する係合部８３ｂとを備えており、上端部の一部が、枠材５の表面部５２における突出縁部５２ａと、化粧カバー８における化粧面８２の上方端部との間から露出することで、開口部３の縁部における化粧を演出することができるようになっている。
【００６５】
第２係合部材８４は、ベース部８１の係合部８１ｂと係合する係合部８４ａを上方側に備えており、下方側が床面と平行な略平坦に形成されることで、下地壁面材２の上方端部と当接するようになっている。このとき、第２係合部材８４における下端部の一部が、下地壁面材２の上方端部と、化粧カバー８における化粧面８２の下方端部との間から露出することで、開口部３の周辺における化粧を演出することができるようになっている。
【００６６】
以上、説明したように、本実施形態によれば、枠材５の下地部５１は、当該下地部５１の側面から前記下地壁面材２の上方に配設され、壁本体１１の側面を化粧する他の化粧部材である化粧カバー８に向けて突出し、当該化粧カバー８を取り付けるための突出部５７を備えているので、化粧カバー８を壁本体１１の側面に簡単に取り付けることができ、この化粧カバー８によって下地部５１を覆うように遮蔽しながら開口部側面３ａを化粧できる。よって、壁本体１１に形成された開口部３の縁部の見映えをより一段と高級に化粧でき、開口部３付近の仕上がりを秀麗なものとすることができる。
【００６７】
このとき、化粧カバー８は、上述したベース部８１と、化粧面８２と、第１係合部材８３と、第２係合部材８４と、を備え、第１係合部材８３には、前記突出部５７に対応する係合部８３ａを設けておくことが好ましい。これにより、突出部５７を被係合部として、化粧カバー８における第１係合部材８３の係合部８３ａと係合させるだけで、当該化粧カバー８をワンタッチで取り付けることができ、取付作業を格段と簡単にすることができる。
【００６８】
しかも、この突出部５７の外周面または化粧カバー８の係合部８５の突出部５７が係合される内周面を、その突出方向または係合方向に沿って凹凸する凹凸面で形成しておけば、これら突出部５７と係合部８３ａとの係合性を一段と高めることができ、当該係合部８５から突出部５７を抜け難くすることができる利点を備えることもできる。
【００６９】
また、第１係合部材８３は、枠材５における下地部５１の側面に突設された突出部５７と係合する係合部８３ａと、ベース部８１の係合部８１ａと係合する係合部８３ｂとを備えることが好ましい。このとき、第１係合部材８３の上端部の一部が、枠材５の表面部５２における突出縁部５２ａと、化粧カバー８における化粧面８２の上方端部との間から露出することで、開口部３の縁部における化粧を演出することができる。
【００７０】
さらに、第２係合部材８４は、ベース部８１の係合部８１ｂと係合する係合部８４ａを上方側に備えており、下方側が床面と平行な略平坦に形成されることが好ましい。これにより、略平坦な下方側を下地壁面材２の上方端部と当接させることができる。このとき、第２係合部材８４における下端部の一部が、下地壁面材２の上方端部と、化粧カバー８における化粧面８２の下方端部との間から露出することで、開口部３の周辺における化粧を演出することができる。
【００７１】
なお、本発明は、上述した第１および第２実施形態に限定されることなく、本発明の趣旨を逸脱しない範囲において、適宜、種々の改良および設計の変更が可能である。
【００７２】
例えば、上述した第１および第２実施形態では、枠材５を住宅等の建物の内部（室内）と外部（屋外）との間に配設された外壁である壁本体１１に形成された、窓サッシ４が嵌め込まれて取り付けられる窓開口部である開口部３の室内側下部に位置する縁部（すなわち、開口部側面３ａの室内側下縁）に化粧枠として取り付けられる窓枠材として用いられる場合について述べたが、本発明はこれに限らず、この他、例えば建物の内部に配設される内壁に設けられ、ドアが開閉自在に配設されるドア開口部の周縁部（縁部）に化粧材として取り付けられるドア枠材など種々の枠材に広く適用することができる。
【符号の説明】
【００７３】
１…壁
１１…壁本体
１２…調整材
２…下地壁面材
２ａ…側端部
３…開口部
３ａ…開口部側面（縁部）
３ｂ…室内側面
５…枠材
５１…下地部
５２…表面部
５３…当接部
５３ａ…窪み部
５４…凹部
５５…傾斜部
５５ａ…受け部
５６，５７…突出部
５６ａ…先端面
５７ａ…傾斜部
６…止着材
８…化粧カバー
【図１】
2014163121.tif 000003
【図２】
2014163121.tif 000004
【図３】
2014163121.tif 000005
【図４】
2014163121.tif 000006
【図５】
2014163121.tif 000007
【図６】
2014163121.tif 000008